(57)【要約】      （修正有）【課題】彫刻によって装飾効果があり、かつ、持ちやすく滑り難い手工具の柄を提供する。【解決手段】握り２０と、一端に工具の頭１１を固定する首部２２とを有し、握り２０には、地の上に凸部を設けた彫刻が施され、凸部は、握り２０の長手方向に沿ってほぼ均一に分布しており、握り２０の断面は、長手方向に沿ってほぼ一定の半径の円または楕円形をし、首部２２は、握り２０より径が細く構成されている。【選択図】図１
0003163122.tif 000002
【実用新案登録請求の範囲】
【請求項１】
握り２０と、一端に工具の頭１１を固定する首部２２とを有し、
前記握り２０には、地１６の上に凸部１５を設けた彫刻１３が施され、
前記凸部１５は、前記握り２０の長手方向に沿ってほぼ均一に分布しており、
前記握り２０の断面は、長手方向に沿ってほぼ一定の半径の円または楕円形をし、
前記首部２２は、前記握り２０より径が細く構成されていることを特徴とする手工具の柄。
【請求項２】
請求項１に記載の手工具の柄において、
前記握り２０と首部２２の間に仕切１４を設けたことを特徴とする手工具の柄。
【請求項３】
請求項１または２に記載の手工具の柄において、
前記握り２０には、凸部１５の無い地１６が長手方向に連続する領域を設けたことを特徴とする手工具の柄。
【請求項４】
請求項２に記載の手工具の柄において、
前記仕切１４の近くに重心が位置するように、前記握り２０と前記首部２２の外径と長さを選定したことを特徴とする手工具の柄。
【考案の詳細な説明】
【技術分野】
【０００１】
本考案は、工具の柄に彫刻細工を設けた手工具の柄に関するものである。
【背景技術】
【０００２】
工具は、一般に製品を作る上で必要なものである。色々な分野、用途に応じて使い分けされ、多数の工具が使用される。使用頻度の高い金鎚は、代表的な工具の一つである。幅広い工業界の中で金鎚は、多方面に使用され、用途、安全面を追及するために、色々なアイデアを盛り込まれた工具が開発されている。
【先行技術文献】
【特許文献】
【０００３】
【特許文献１】特開２００９−３９８３１号公報
【考案の概要】
【考案が解決しようとする課題】
【０００４】
以上のような従来の工具には、次のような解決すべき課題がある。
（１）工具を持ち運ぶ際に工具の頭（金属など）部が重いために運び辛くなる。
（２）工具の柄が均一に細くなっているため、最大限の力で効果が減少する。
（３）同じ工具が並んでいると、自分の工具の見分けがつかなくなる。
【課題を解決するための手段】
【０００５】
以下の構成はそれぞれ上記の課題を解決するための手段である。
〈構成１〉
握り２０と、一端に工具の頭１１を固定する首部２２とを有し、前記握り２０には、地１６の上に凸部１５を設けた彫刻１３が施され、前記凸部１５は、前記握り２０の長手方向に沿ってほぼ均一に分布しており、前記握り２０の断面は、長手方向に沿ってほぼ一定の半径の円または楕円形をし、前記首部２２は、前記握り２０より径が細く構成されていることを特徴とする手工具の柄。
【０００６】
〈構成２〉
構成１に記載の手工具の柄において、前記握り２０と首部２２の間に仕切１４を設けたことを特徴とする手工具の柄。
【０００７】
〈構成３〉
構成１または２に記載の手工具の柄において、前記握り２０には、凸部１５の無い地１６が長手方向に連続する領域を設けたことを特徴とする手工具の柄。
【０００８】
〈構成４〉
構成２に記載の手工具の柄において、前記仕切１４の近くに重心が位置するように、前記握り２０と前記首部２２の外径と長さを選定したことを特徴とする手工具の柄。
【考案の効果】
【０００９】
〈構成１の効果〉
彫刻１３によって装飾効果があり、かつ、持ちやすく滑り難い。
〈構成２の効果〉
仕切１４を設けることにより、持ちやすく、長手方向の滑り止めの効果がある。
〈構成３の効果〉
握り２０のどの部分を持っても、地１６が長手方向に連続する領域に指を掛けて作業できる。持ち易い形状になる。
〈構成４の効果〉
握り２０の、仕切１４の近くを持って作業するとバランス良く、工具を支持できる。
【図面の簡単な説明】
【００１０】
【図１】工具全体を示した平面図である。
【図２】工具全体を示した正面図である。
【図３】工具の頭を示した底面図である。
【図４】図１に示した彫刻の断面図である。
【図５】彫刻を示した展開図である。
【考案を実施するための形態】
【００１１】
本考案の手工具の柄１０は、握り２０と、一端に工具の頭１１を固定する首部２２とを備えている。工具の頭１１は金槌や鑿等の任意の手工具である。握り２０には、地１６の上に凸部１５を設けた彫刻１３が施されている。手工具の柄１０は、木に彫刻を施して、握り２０と首部２２とを一体に切削加工したものである。
【００１２】
凸部１５は、握り２０の長手方向に沿ってほぼ均一に分布している。即ち、彫刻１３が全体的に均一に施されている。握り２０の断面は、長手方向に沿ってほぼ一定の半径の円または楕円形をしている。真円でも、楕円でも構わない。首部２２は、握り２０より径が細く構成されている。首部２２がしなり易く作業性が高まる。
【００１３】
以上により、彫刻１３によって装飾効果があり、かつ、持ちやすく滑り難い構造を実現する。なお、握り２０と首部２２の間に仕切１４を設けてもよい。仕切りは、長手方向の滑り止めのために設けるもので、環状の突起とか、他の部分よりも少し大径に加工されたものである。
【００１４】
握り２０には、凸部１５の無い地１６が長手方向に連続する領域を設けた。長手方向に連続する領域とは、握り２０の一端から他端まで連続し、帯状の平坦な部分である。ここに、指がかかる。握り２０のどの部分を持っても、地１６が長手方向に連続する領域に指を掛けて作業できる。持ち易い形状になる。
【００１５】
仕切１４の近くに重心が位置するように、握り２０と首部２２の外径と長さを選定した。  握り２０の、仕切１４の近くを持って作業するとバランス良く、工具を支持できる。
【００１６】
以下、本考案の実施の形態を実施例毎に詳細に説明する。
【実施例１】
【００１７】
図１は、工具全体を示した平面図である。
（工具の構造）
工具の頭１１は、例えば、金属製の槌で、柄１２に固定している。柄１２と彫刻１３は、一体化している。
【００１８】
（使用方法）
工具の頭１１を固定している柄１２は、彫刻１３を太く設けることで持ち易さのためと金属製の工具の頭１１との重量バランスの安定がある。また、工具の頭１１付近を細くすることで軽量化し、しなることで小さな力で大きな力が得られる。
【００１９】
図２は、工具全体を示した正面図である。図３は、工具の頭１１の底面図である。
仕切１４は、作業中に何らかの力により長手方向１７に握りがズレてしまったときや柄１２を短く握ったときの滑り止め効果がある。
彫刻１３は、凸部１５と地１６を設けることでどの場所でも握ることができ、周方向１８に指先に引っかかるため、より安定した滑り止め効果がある。
【００２０】
図４は、図１に示した彫刻の断面図である。
凸部１５は、長手方向１７に平均に設けることで、持ち易さがある。また凸部１５は、地１６より面積比を小さく設けることで、周方向の滑り止め効果がある。
【００２１】
図５は、彫刻を示した展開図である。
彫刻１３は、凸部１５にして、浮き上がらせたものである。
【符号の説明】
【００２２】
１０  手工具の柄
１１  工具の頭
１３  彫刻
１４  仕切
１５  凸部
１６  地
１７  長手方向
１８  周方向
２０  握り
２２  首部
【図１】
0003163122.tif 000003
【図２】
0003163122.tif 000004
【図３】
0003163122.tif 000005
【図４】
0003163122.tif 000006
【図５】
0003163122.tif 000007